(57)【要約】
【課題】
本考案は、一枚の矩形厚手紙をもって折り組立てすることのできる真空貼付用のヘラ器具を提案して、従来のロール式器具が複雑且つ高価でしかも糊付フィルムと台紙との間で一組の単位セットにすることに向かないという課題を解決しようとするものである。
【解決手段】
本考案は一枚の矩形厚手紙をもって合わせ形の把手部と該把手部に続いて下広形の前後壁と、該前後壁間に円曲突出面にて一体につながる前側ヘラ面と後側ヘラ面とを形成し、該前側ヘラ面に前後方向の細長孔を並設し、且つ前後のヘラ面間の中間を前記の合わせ形の把手部より垂下する折りバネにて押圧してなる糊付フィルムによる写真等を台紙上に真空貼付けするヘラ器具を折り形成するようにしたことを特徴とする真空貼付用のヘラ器具にある。
【選択図】図４
0003101395.tif 000002
【実用新案登録請求の範囲】
【請求項１】
一枚の矩形厚手紙をもって合わせ形の把手部と該把手部に続いて下広形の前後壁と、該前後壁間に円曲突出面にて一体につながる前側ヘラ面と後側ヘラ面とを形成し、該前側ヘラ面に前後方向の細長孔を並設し、且つ前後のヘラ面間の中間を前記の合わせ形の把手部より垂下する折りバネにて押圧してなる糊付フィルムによる写真等を台紙上に真空貼付けするヘラ器具を折り形成するようにしたことを特徴とする真空貼付用のヘラ器具。
【請求項２】
前側のヘラ面の細長孔は交互に前後にずらして並設する請求項１記載の真空貼付用のヘラ器具。
【請求項３】
合わせ形の把手部の両端を一方から伸びる舌片を他方の止孔に嵌めて押え閉じする請求項１または２に記載の真空貼着用のヘラ器具。
【請求項４】
真空貼付用のヘラ器具を組立て可能の折目などのついた展開紙片にて提供し、該展開紙片を折目に沿って折り曲げて組立て形成する請求項１乃至３のいずれかに記載の真空貼付用のヘラ器具。
【考案の詳細な説明】
【技術分野】
【０００１】
この考案は折り形成にてなる真空貼付用のヘラ器具、詳しくは一枚の矩形厚手紙をもって、真空貼付用のヘラ器具を折り形成して、糊付フィルムを用いて写真を台紙上に貼付ける場合、ステッカーなどを貼付けるに際して外表からヘラ当てして空気溜まり、しわなどをつくらずにスムースに真空貼付けすることができるようにした真空貼付用のヘラ器具に関するものである。
【背景技術】
【０００２】
この種の真空貼付用の器具としては特開平２００３−２３７２９７号公報がある。
【０００３】
該公報は提手を挟んで一側に小突子を多設した凹凸ロールと、他側に弾力のある平滑なゴムロールとを取付けて、先づ凹凸ロールの転がりにて貼付面内に空気抜き間隙が散在する点接着貼付けを行い、次いで器具を反転させてゴムシールの転がり回転にて散在する空気抜き間隙内の空気を押し抜きしつつ真空貼付けするようにしたことを記載している。
【特許文献１】特開平２００３−２３７２９７号公報
【考案の開示】
【考案が解決しようとする課題】
【０００４】
しかしながら、該器具は構造を複雑にして製造コストを高価にしているという課題があり、また糊付フィルムと台紙との間で一組のセットにすることに向かないという課題がある。
【課題を解決するための手段】
【０００５】
本考案は一枚の矩形厚手紙をもって合わせ形の把手部と該把手部に続いて下広形の前後壁と、該前後壁間に円曲突出面にて一体につながる前側ヘラ面と後側ヘラ面とを形成し、該前側ヘラ面に前後方向の細長孔を並設し、且つ前後のヘラ面間の中間を前記の合わせ形の把手部より垂下する折りバネにて押圧してなる糊付フィルムによる写真等を台紙上に真空貼付けするヘラ器具を折り形成するようにして、かかる課題を解決するようにしたのである。
【考案の効果】
【０００６】
本考案は、一枚の矩形厚手紙をもって真空貼着用のヘラ器具を折り形成することができるという効果を生ずる。
【０００７】
前側ヘラ面の前後方向に交互する細長孔を設けたので、ヘラ当てがスムースにでき、しかも後側ヘラ面による空気抜き貼着が完璧に行えるという効果を生ずる。
【０００８】
合わせ形の把手部の両端を舌片の嵌付けにて押え閉じするので、ヘラ当てを安定して行えるという効果を生じ、舌片の嵌付けを解くことによって一枚の矩形厚手紙に戻すことができるという効果を生ずる。
【０００９】
折り組立てが可能なことにより展開した一枚の矩形厚手紙にて提供することができて、この結果、糊付フィルムと台紙との間で一組のセットにして提供することができるという効果を生ずる。
【考案を実施するための最良の形態】
【００１０】
本考案は一定の剛性と弾性とを備えた一枚の矩形厚手紙の折り形成により、合わせ形の把手部と該把手に続いて下広形の前後壁と、該前後壁間に円曲突出面にて一体につながる前側ヘラ面と後側ヘラ面とを形成し、該前側ヘラ面に前後方向の細長孔を並設し、且つ前後のヘラ面間の中間を前記合わせ形の把手部より垂下する折りバネにて押圧してなる糊付フィルム、ステッカーなどの真空貼付用のヘラ器具を折り組立てして形成するようにしたのである。
【実施例１】
【００１１】
一定の大きさの矩形に裁断した剛性と弾性を有す一枚の厚手紙１をもって合わせ形の把手部２，２と下広形の前壁３と後壁４およびその間に前側ヘラ面５と後側ヘラ面６とを突出し円曲にて形成し、前側ヘラ面５に前後方向に向けて交互にずらした細長孔７を並設し、且つヘラ面５，６の中間を合わせ形の把手部２の一方の合わせ代から垂下する折りバネ９にて内側から押圧し、合わせ形の把手部２，２の両端を一方から伸びる舌片９，９を他方に設ける止孔１０，１０に嵌付けて押え閉じするようにして以って真空貼付用のヘラ器具１１を形成するのである。なお図２に示すように一枚の矩形厚手紙１に各折目１２を付しておき、折り形成しやすくするために、折り代の内面に把手部，前壁，後壁，バネなど記載するとともに各折目１２には山折り・谷折りなどの指示をしておくと、素早くヘラ器具１１を組立することができることとなる。合わせて完成図も記載しておくとよい。かくて本考案は一枚の矩形厚手紙１を展開した状態にて提供することもでき、簡単に真空貼付用のヘラ器具１１を折り形成することができることとなる。
【００１２】
無色透明の糊付フィルム１３にて写真１４を台紙１５に貼付けるときは、図４に示すようにヘラ器具１１の把手部２，２を持って糊付フィルム１３の一端に前側ヘラ面５を当てて剥離紙１３ａを剥がしながらフィルム１３の他端に向けて走らせるのである。この際細長孔７の部分がフィルム１３に当たらないために軽くスムースに走らせることができ、次いで図５に示すように器具１１を傾けて、後側ヘラ面６にて今一度ヘラ当て走行させるのである。細長孔８の部分の空気抜きをして、しわをつくらずに全面をきれいに真空貼付けすることとなる。
【００１３】
合わせ形の把手部２，２の両端を舌片９，９の止孔１０，１０への嵌め付けにて押し閉じすることと、折りバネ８にて前後のヘラ面６，７の中間を内側から弾力的に押圧することによって、前後のヘラ面６，７による真空貼付け作業はきわめて円滑に行われることとなる。なお、舌片９と止孔１０を設けるかわりにバネクリップ（図示してない）などにて把手部２，２間を挟み止めるようにすることもできる。
【００１４】
ステッカー１６を貼付ける場合も同じである。先づ前側ヘラ面５にて細長孔７の部分除いてヘラ当て貼着し、次いで後側ヘラ面６にて再度ヘラ当てして細長孔７の部分の空気抜きしつつ貼着するのである。
【産業上の利用可能性】
【００１５】
本考案は以上のようにして、写真等の真空貼付けに広く利用することができるものとなる。
【図面の簡単な説明】
【００１６】
【図１】本考案のヘラ器具の一例を示す斜視図
【図２】組立て前の矩形厚手紙の状態にて示す裏面図、Ａ乃至Ｄは組立順を示す側面図
【図３】台紙上に写真を載せた状態にて示す斜視図
【図４】前側ヘラ面を糊付フィルム上に当てて走らせている状態を示す斜視図
【図５】ヘラ器具を傾けて後側ヘラ面を当て走らせている状態を示す斜視図
【図６】ヘラ器具により壁面にステッカーを貼っている状態を示す斜視図
【符号の説明】
【００１７】
１は剛性および弾性を備えた矩形厚手紙
２，２は把手部
３は前壁
４は後壁
５は前側ヘラ面
６は後側ヘラ面
７は細長孔
８はバネ
９は舌片
１０止孔
１１はヘラ器具
１２は折目
１３は糊付フィルム
１３ａは剥離紙
１４は写真
１５は台紙
１６はステッカー
【図１】
0003101395.tif 000003
【図２】
0003101395.tif 000004
【図３】
0003101395.tif 000005
【図４】
0003101395.tif 000006
【図５】
0003101395.tif 000007
【図６】
0003101395.tif 000008